(57)【要約】  小児が神経発達障害を有するリスクを評価する為の方法を提供する。先ず、ディスプレイ画面（５）上の２つの別々の位置に、第１の情報と第２の情報が同時に示される。次に、ディスプレイ画面（５）から第１の情報と前記第２の情報が暫くの間削除され、その間、小児の眼の運動がトラッキングされて記録される。次に、ディスプレイ画面（５）上の、第２の情報が以前表示されていた位置に、第３の情報が表示される。このシーケンスが数回繰り返される。次に、ディスプレイ画面（５）から第１と第２の情報が削除されていた間に記録された小児の眼（複数可）の運動の関数として小児のスコアが確立される。このスコアは、小児の神経発達障害のリスクの指標を与える。【選択図】  図２
2021529402.tif 000002
【特許請求の範囲】
【請求項１】
小児の神経発達障害のリスクの評価方法であって、前記方法が、
−ディスプレイ画面（５）と、アイ・トラッキング・デバイス（１０）と、前記ディスプレイ画面に情報を表示し、前記アイ・トラッキング・デバイス（１０）からの視線位置データを読み取って記録するように構成されたコントローラとを備えた機械を提供するステップと、
−前記小児に第１の期間中に１つのテストに合格させるステップと、を含み、前記テストは、シーケンスで：
ａ）前記小児に前記ディスプレイ画面（５）を見させ、前記小児の少なくとも片方の眼の方に前記アイ・トラッキング・デバイス（１０）を向け、
ｂ）前記ディスプレイ画面（５）上の夫々２つの別々の位置に、第１の情報と第２の情報を同時に表示し、
ｃ）前記ディスプレイ画面（５）から前記第１の情報と前記第２の情報を削除し、
ｄ）前記ディスプレイ画面（５）から前記第１の情報と前記第２の情報が削除されている間に、前記アイ・トラッキング・デバイス（１０）から視線位置データを読み取って記録し、それによって前記小児の少なくとも片方の眼の運動記録を取得し、
ｅ）前記ディスプレイ画面（５）上の前記第２の情報の以前の位置に、又はその付近に、第３の情報を表示し、又、オプションで、前記第２の情報を、前記ディスプレイ画面（５）上のその以前の位置に再表示し、
ｆ）前記ディスプレイ画面（５）から前記第３の情報を削除し、
ｇ）ステップｂ）〜ｆ）を限定回数繰り返し、
ｈ）ステップｄ）で取得した前記小児の少なくとも片方の眼の複数の運動記録の関数としてスコアを計算する、
ことを含むことを特徴とする方法。
【請求項２】
前記コントローラ（１５）は、各ステップｄ）の間の前記小児の少なくとも片方の眼の前記運動記録に基づいて、各ステップｂ）の間に、少なくとも部分的に前記第２の情報が表示されていた前記ディスプレイ画面（５）上の位置に、前記小児が固視を行なったかどうかを判断することを特徴とし、又、ステップｈ）で、前記固視の回数の関数として、又は前記固視の回数の経時進化の関数として、前記スコアを計算することを特徴とする請求項１に記載の方法。
【請求項３】
ステップｈ）において、前記スコアは、ステップｄ）で取得した前記小児の少なくとも片方の眼の、前記複数の運動記録からのデータと、事前記録された基準データとの比較の関数として計算されることを特徴とする請求項１に記載の方法。
【請求項４】
前記神経発達障害は自閉症スペクトラム障害であることを特徴とする請求項１乃至３の何れか一項に記載の方法。
【請求項５】
ステップｂ）において、前記第１の情報と前記第２の情報が前記ディスプレイ画面（５）に同時に表示されることを特徴とする請求項１乃至４の何れか一項に記載の方法。
【請求項６】
前記第１の期間は、前記小児の月齢が７ヶ月から２０ヶ月、好ましくは９ヶ月から１８ヶ月の間に含まれる期間内であることを特徴とする請求項１乃至５の何れか一項に記載の方法。
【請求項７】
前記第１の期間は、前記小児の月齢が９ヶ月から１１ヶ月、好ましくは１２ヶ月から１４ヶ月の間に含まれる期間内であることを特徴とする請求項６に記載の方法。
【請求項８】
前記テストを開始する前に、前記小児の識別データを記録するステップと、前記データを、前記小児に関して取得した前記スコアとリンクさせるステップとを更に含むことを特徴とする請求項１乃至７の何れか一項に記載の方法。
【請求項９】
前記テストを開始する前に、前記小児の現在の月齢を入力するステップを更に含み、前記コントローラ（１５）は、前記入力された小児の月齢をチェックし、前記小児の現在の月齢に応じて前記第１の情報と前記第２の情報を選択することを特徴とする請求項１乃至８の何れか一項に記載の方法。
【請求項１０】
小児の神経発達障害のリスクの評価装置（１）であって、前記装置（１）は、ディスプレイ画面（５）と、アイ・トラッキング・デバイス（１０）と、コントローラ（１５）とを備え、前記コントローラが、第１の期間中に：
ａ）前記ディスプレイ画面（５）上の夫々２つの別々の位置に、第１の情報と第２の情報を同時に表示し、
ｂ）前記ディスプレイ画面（５）から前記第１の情報と前記第２の情報を削除し、
ｃ）前記ディスプレイ画面（５）から前記第１の情報と前記第２の情報が削除されている間に、前記アイ・トラッキング・デバイス（１０）から視線位置データを読み取って記録し、それによって前記小児の少なくとも片方の眼の運動記録を取得し、
ｄ）前記ディスプレイ画面（５）上の前記第２の情報の以前の位置に、又はその付近に、第３の情報を表示し、又、オプションで、前記第２の情報を、前記ディスプレイ画面（５）上のその以前の位置に再表示し、
ｅ）前記ディスプレイ画面（５）から前記第３の情報を削除し、
ｆ）ステップａ）〜ｅ）を限定回数繰り返し、
ｇ）ステップｃ）で取得した前記小児の少なくとも片方の眼の複数の運動記録の関数としてスコアを計算するように構成されている、装置（１）。
【請求項１１】
前記コントローラ（１５）は、各ステップｃ）中の前記小児の少なくとも片方の眼の前記運動記録に基づいて、各ステップａ）の間に少なくとも部分的に前記第２の情報が表示されていた前記ディスプレイ画面（５）上の位置に、前記小児が固視を行ったかどうかを判断するように構成されることを特徴とし、又、ステップｇ）において、前記スコアは、前記固視の回数の関数として、又は、前記固視の回数の経時進化の関数として計算されることを特徴とする請求項１０に記載の装置（１）。
【請求項１２】
前記コントローラ（１５）は、ステップｇ）において、前記スコアが、ステップｃ）で取得された前記小児の少なくとも片方の眼の前記複数の運動記録からのデータと、事前記録された基準データとの比較の関数として計算されるように構成されていることを特徴とする請求項１０に記載の装置（１）。
【請求項１３】
前記神経発達障害は自閉症スペクトラム障害であることを特徴とする請求項１０乃至１２の何れか一項に記載の装置（１）。
【請求項１４】
前記第１の期間は、前記小児の月齢が７ヶ月から２０ヶ月、好ましくは９ヶ月から１８ヶ月の間に含まれる期間内であることを特徴とする請求項１０乃至１３の何れか一項に記載の装置（１）。
【請求項１５】
前記第１の期間は、前記小児の月齢が９ヶ月から１１ヶ月、又は１２ヶ月から１４ヶ月、又は１６ヶ月から１８ヶ月の間に含まれる期間内であることを特徴とする請求項１４に記載の装置（１）。
【発明の詳細な説明】
【技術分野】
【０００１】
本発明は、小児の神経発達障害、より詳細には、自閉症スペクトラム障害（ＡＳＤ）のリスクの評価方法及び装置に関する。
【背景技術】
【０００２】
特許文献１は、根本的には異なるが、本発明の分野に近い分野の方法を開示している。
【０００３】
この公知の方法によれば、第１の視覚刺激が小児に示される第１のセッション中に小児の第１の眼球運動データが収集され、第２の視覚刺激が小児に示される第２のセッション中に同じ小児の第２の眼球運動データが収集される。次に、第１の眼球運動データと第２の眼球運動データとを互いに比較して、２つの視覚刺激に対する小児による固視の変化を特定する。固視の低下は、小児の発達、認知、社会的若しくは精神的な障害又は能力のマーカであると記述されている。この方法は、このように固視の進化曲線に基づいている為、グループのパフォーマンスのレベルでは有意な差をもたらし得るが、個人の閾値の確立を可能にするのに十分な感度はない。
【０００４】
特許文献２は、根本的には異なるが、やはり本発明の分野に近い分野である方法を開示している。この公知の方法によれば、視覚情報が患者に示され、この情報に関する患者の固視が、システムを較正して後に動作時の精度を検証する為に分析され、比較される。
【０００５】
このような方法は、人のグループに対しては興味深い結果を提供し得るが、個人に適用する場合には正確性を欠く。
【先行技術文献】
【特許文献】
【０００６】
【特許文献１】国際公開第２０１５／０５７３２１号
【特許文献２】国際公開第２０１４／１６４８５８号
【発明の概要】
【発明が解決しようとする課題】
【０００７】
本発明の目的は、個人に対してより正確な結果、より詳細には、偽陽性結果がより少ない、及び／又は偽陰性結果がより少ない結果を提供する方法及び装置を提供することである。
【課題を解決するための手段】
【０００８】
本発明は、独立請求項によって定義される。従属請求項は有利な実施形態を定義する。
【０００９】
本発明により、小児の発達障害のリスクの評価方法が提供され、方法は：
−ディスプレイ画面と、アイ・トラッキング・デバイスと、前記ディスプレイ画面に情報を表示し、前記アイ・トラッキング・デバイスからの視線位置データを読み取って記録するように構成されたコントローラとを備えた機械を提供するステップと、
−前記小児に第１の期間中に１つのテストに合格させるステップを含み、前記テストは、シーケンスで：
ａ）前記小児に前記ディスプレイ画面（５）を見させ、前記小児の少なくとも片方の眼の方に前記アイ・トラッキング・デバイス（１０）を向け、
ｂ）前記ディスプレイ画面（５）上の夫々２つの別々の位置に、第１の情報と第２の情報を同時に表示し、
ｃ）前記ディスプレイ画面（５）から前記第１の情報と前記第２の情報を削除し、
ｄ）前記ディスプレイ画面（５）から前記第１の情報と前記第２の情報が削除されている間に、前記アイ・トラッキング・デバイス（１０）から視線位置データを読み取って記録し、それによって前記小児の少なくとも片方の眼の運動記録を取得し、
ｅ）前記ディスプレイ画面（５）上の前記第２の情報の以前の位置に、又はその付近に第３の情報を表示し、又、オプションで、前記第２の情報を、前記ディスプレイ画面（５）上のその以前の位置に再表示し、
ｆ）前記ディスプレイ画面（５）から前記第３の情報を削除し、
ｇ）ステップｂ）〜ｆ）を限定回数繰り返し、
ｈ）ステップｄ）で取得した前記小児の少なくとも片方の眼の複数の運動記録の関数としてスコアを計算する、ことを含む。
【００１０】
好ましくは、コントローラは、各ステップｄ）の間の小児の少なくとも片方の眼の運動記録に基づいて、各ステップｂ）の間に前記第２の情報が少なくとも部分的に表示されていたディスプレイ画面上の位置に小児が固視を行ったかどうかを判断し、ステップｈ）で、前記固視の回数の関数として、又は前記固視の回数の経時進化（即ち、ステップｂ）からｆ）までの逐次実行に亘る）の関数として、前記スコアを計算する。
【００１１】
或いは、ステップｈ）において、前記スコアは、前記ステップｄ）で取得した小児の少なくとも片方の眼の、複数の運動記録からのデータと、事前記録された基準データとの比較の関数として計算される。
【００１２】
本発明による方法は、既知の方法よりも信頼性が高いが、それは、既知の方法が、小児によって優先的に観察される画像又はビデオの領域（例えば、大人の顔ｖｓ物体）のみを考慮に入れるのに対し、小児は様々な理由で画像又はビデオの特定の領域に惹かれる可能性があるからである。従って、既知の方法では、グループ間の識別には限界がある。このプロセスに予測パラダイム（前記第３の情報が前記第２の情報と重なって表示されること）を加えることで、この妨げを克服することができる。
【００１３】
本発明による方法から得られるスコアは、それが適用された小児の神経発達障害のリスクを示すものに過ぎず、そのような障害のそれ自体の診断を提供するものではなく、又、そのような障害の後の何れかの方式での診断を前提としたものでもないことを強調しておく。
【００１４】
好ましくは、神経発達障害は自閉症スペクトラム障害である。
【００１５】
好ましくは、第１の期間は、小児が月齢７ヶ月から２０ヶ月の間、好ましくは９ヶ月から１８ヶ月の間に含まれる期間内である。より好ましくは、第１の期間は、小児が月齢９ヶ月から１１ヶ月の間、好ましくは１２ヶ月から１４ヶ月の間に含まれる期間内である。
【００１６】
本発明は、小児の神経発達障害のリスクの評価装置も提供し、前記装置は、ディスプレイ画面と、アイ・トラッキング・デバイスとコントローラを備え、前記コントローラは、第１の期間中に、
ａ）前記ディスプレイ画面（５）上の夫々２つの別々の位置に、第１の情報と第２の情報を同時に表示し、
ｂ）前記ディスプレイ画面（５）から前記第１の情報と前記第２の情報を削除し、
ｃ）前記ディスプレイ画面（５）から前記第１の情報と前記第２の情報が削除されている間に、前記アイ・トラッキング・デバイス（１０）から視線位置データを読み取って記録し、それによって前記小児の少なくとも片方の眼の運動記録を取得し、
ｄ）前記ディスプレイ画面（５）上の前記第２の情報の以前の位置に、又はその付近に、第３の情報を表示し、又、オプションで、前記第２の情報を、前記ディスプレイ画面（５）上のその以前の位置に再表示し、
ｅ）前記ディスプレイ画面（５）から前記第３の情報を削除し、
ｆ）ステップａ）〜ｅ）を限定回数繰り返し、
ｇ）ステップｃ）で取得した前記小児の少なくとも片方の眼の複数の運動記録の関数としてスコアを計算する、ように構成されている。
【図面の簡単な説明】
【００１７】
本発明のこれらの態様、及び更なる態様を、例として、及び添付の図面を参照して、より詳細に説明する。
【図１】本発明による例示的な方法のフローチャートである。
【図２】図１の方法の実行中に小児に示される一連のディスプレイ画面の例の図である。
【図３】本発明による装置の模式図である。
【発明を実施するための形態】
【００１８】
図面の図は、原寸に比例して描いたものではなく、正確な縮尺でもない。一般に、類似又は同一の構成要素は、図中で同じ参照符号で示されている。
【００１９】
本発明により、小児の神経発達障害のリスクの評価方法が提供される。
【００２０】
方法は先ず、ディスプレイ画面（５）と、アイ・トラッキング・デバイス（１０）と、ディスプレイ画面（５）に情報を表示し、アイ・トラッキング・デバイス（１０）からの視線位置データを読み取って記録するように構成されたコントローラ（１５）とを備えた機械を提供するステップを含む。
【００２１】
この機械は、例えば、アイ・トラッキング・デバイスが接続された携帯型パーソナルコンピュータやタブレットコンピュータであってもよい。様々な市販のアイ・トラッキング・デバイスを使用することができ、例えば、トビー・テクノロジー（Ｔｏｂｉｉ  Ｔｅｃｈｎｏｌｏｇｙ）のアイトラッカー４Ｃモデル、又はセンサモータリック・インスツルメント（ＳｅｎｓｏＭｏｔｏｒｉｃ  Ｉｎｓｔｒｕｍｅｎｔｓ）のＲＥＤ−ｍ、又はＩスキャン社（ＩＳＣＡＮ  Ｉｎｃ．）のモデルＲＫ−４６４、又はアイテック（ＥｙｅＴｅｃｈ）のＴＭ５ Ｍｉｎｉ等を使用することができる。これらのアイ・トラッキング・デバイスは、適切な制御ソフトウェアが付属しており、一旦インストールされて実行されると、コントローラ（１５）（これは一般的にはコンピュータ自体である）がアイ・トラッキング・デバイス（１０）から視線位置データを読み取って記録することを可能にする。この機械は、例えば、アイ・トラッキング・デバイス及び対応する制御ソフトウェアを内蔵した携帯用パーソナルコンピュータ又はタブレットコンピュータであってもよい。ディスプレイ画面（５）は、個別のビデオ画面であってもよいし、パーソナルコンピュータやタブレットコンピュータ、ビデオプロジェクタ又は画像を表示する為の他の電子的手段等の別の装置に統合されたビデオ画面であってもよい。
【００２２】
コントローラ（１５）は、専用のコントローラ（１５）であってもよいし、ディスプレイ画面（５）に情報を表示する機能、アイ・トラッキング・デバイス（１０）からの視線位置データを読み取って記録する機能、これらのデータに対する操作を行う機能、データ記憶媒体からデータを読み取る機能、及び結果をデータ記憶媒体に保存する機能を有するパーソナルコンピュータやタブレットコンピュータ又は他の手段であってもよい。
【００２３】
機械がセットアップされると、検査対象の小児は、第１の期間中にテストに合格し、そのテストは、シーケンスで：
ａ）小児にディスプレイ画面（５）を見させ、前記小児の少なくとも片方の眼の方にアイ・トラッキング・デバイス（１０）を向け、
ｂ）ディスプレイ画面（５）上の夫々２つの別々の位置に、第１の情報と第２の情報を同時に表示し、
ｃ）ディスプレイ画面（５）から第１の情報と第２の情報を削除し、
ｄ）ディスプレイ画面（５）から第１の情報と第２の情報が削除されている間に、アイ・トラッキング・デバイス（１０）から視線位置データを読み取って記録し、それによって小児の少なくとも片方の眼の運動記録を取得し、  
ｅ）ディスプレイ画面（５）上の第２の情報の以前の位置に、又はその付近に、第３の情報を表示し、又、オプションで、第２の情報を、ディスプレイ画面（５）上のその以前の位置に再表示し、
ｆ）前記ディスプレイ画面（５）から第３の情報を削除し、
ｇ）ステップｂ）〜ｆ）を限定回数繰り返し、
ｈ）ステップｄ）で取得した小児の少なくとも片方の眼の複数の運動記録の関数としてスコアを計算する、ことを含む。
【００２４】
図１は、本発明による例示的な方法のフローチャートを示しており、それについて以後詳細に説明する。図２は、図１の方法の実行中に小児に示される一連のディスプレイ画面の例を示す。
【００２５】
例示的なテストは、発話中の眼の領域への注意力が評価されるテストである。このテストは、好ましくは、小児が生後１０ヶ月から１６ヶ月の間、より好ましくは生後１２ヶ月から１４ヶ月の間に行われる。この目的の為に、機械のスイッチをオンにして、アイ・トラッキング・デバイスを小児の眼の方に向けた状態で、小児にディスプレイ画面（５）を見るように指示する。次に、図２に示すように、人物の、単語（複数可）又は音節（複数可）を発話している顔の２つのビデオが、ディスプレイ画面（５）の２つの異なる部分に（各顔について１つのビデオが）同時に表示され、例えば、ディスプレイ画面（５）の左半分に第１のビデオ、右半分に第２のビデオが同時に表示される。以前は夫々「第１の情報」、「第２の情報」と呼んでいたものを、この実施例ではこれら第１と第２のビデオで構成している。一方、スピーカ（３０）は、発話された単語（複数可）や音節（複数可）に対応する音を再生する。スピーカ（３０）は、例えば、携帯型コンピュータに内蔵された、又はタブレット型コンピュータに内蔵されたスピーカ等の、機器に内蔵されたスピーカであってもよい。
【００２６】
ディスプレイ画面（５）の一方の部分（例えば、右側部分）に表示される顔の眼は、小児の方を向いており（指向性注視ビデオ）、ディスプレイ画面（５）の他方の部分（例えば、左側部分）に表示されている顔の眼は、小児から離れた方向を向いている（逸視ビデオ）。この例では、２つのビデオが５秒間同時に再生される。
【００２７】
次に、ディスプレイ画面（５）が、暫くの間、この例では１００ミリ秒間、クリアされるか、又はディスプレイ画面（５）から２つのビデオが削除される。何れの場合も、オプションの追加ステップとして、２つのビデオが表示された位置に２つの他の画像やビデオを表示することができる。例えば、これら２つの位置に２つの小さな四角や長方形を表示することができる。
【００２８】
ディスプレイ画面（５）がクリアされている間、又は、ディスプレイ画面（５）から２つのビデオが削除されている間、コントローラ（１５）はアイ・トラッキング・デバイス（１０）から視線位置データを読み取って記録し、これにより、少なくとも小児の片方の眼の運動記録を取得する。
【００２９】
次に、第３の情報が、ディスプレイ画面（５）上の、少なくとも部分的に第２の情報が以前に表示されていた位置、又は少なくとも部分的に第２の情報が以前に表示されていた位置付近に表示される。オプションで、第２のビデオは、以前に表示されていた位置に再表示される。第３の情報の一部として、第３のビデオや第３の画像は、例えば、以前に表示されていた第２のビデオと少なくとも部分的に重ねて表示されてもよいし、以前に表示されていた第２のビデオ付近に表示されてもよい。「以前に表示された第２のビデオ付近」とは、「以前に表示されていた第１のビデオよりも、以前に表示されていた第２のビデオにより接近している」と理解される。
【００３０】
以前は「第３の情報」と呼んでいたものを、この例ではこの第３のビデオとオプションの第２のビデオで構成している。
【００３１】
次に、ディスプレイ画面（５）が、暫くの間、この例では１００ミリ秒間、クリアされるか、又はディスプレイ画面（５）から第３のビデオ（又は第３の画像）が削除される。オプションとして、第２のビデオも、同じ期間、この例では１００ミリ秒間ディスプレイ画面（５）から削除される。
【００３２】
図１及び図２に示すように、上記のシーケンスは、限定回数、例えば１０回等繰り返される。
【００３３】
上記ステップのうちの１つ又は複数のステップと並行して、又は上記ステップ終了後の後事の段階で、小児の少なくとも片方の眼の複数の運動記録が分析され、前記複数の運動記録の関数としてスコアが計算される。
【００３４】
次に、好ましくは、その小児のスコアは、その小児の個別のファイルに格納される。
【００３５】
小児の少なくとも片方の眼の運動記録を分析するとき、コントローラ（１５）は、例えば、第３のビデオや第３の画像が以前表示されていた位置で、小児による固視を探してもよい（予測的固視）。
【００３６】
スコアは、例えば、テスト終了時の前記特定の固視の回数、又はテスト終了時の画面の他の部分への固視の回数に対する前記特定の固視の回数の比と等しくてもよく、又は、その関数であってもよい。
【００３７】
別法として、スコアは、例えば、単一のテスト内での、又は複数のテストに亘る、前記特定の固視の回数の経時進化と等しいか、又はその関数であってもよい。
【００３８】
或いは、スコアは、例えば、テスト終了時の前記特定の固視の総持続時間、又はテスト終了時の画面の他の部分への固視の総持続時間に対する前記総持続時間の比率に等しいか、又はその関数であってもよい。
【００３９】
固視（ｆｉｘａｔｉｏｎ）とは、小児の眼が視野内の目標物や位置に対して大きく動かないと考えられる状況、即ち、小児が最小の持続時間（当然、全て所定の許容範囲内で）の間、その目標物や位置をずっと見ている段階に相当する。殆どのアイ・トラッキング・デバイスは、事前設定されたパラメータで固視を検出する機能を備えているが、これは一般的にはユーザ変更可能である。
【００４０】
従って、固視の持続時間は前記段階の持続時間である。
【００４１】
よって、本発明の方法は、指向性注視ビデオに対する優先的注視の欠如が、聴覚・視覚統合とは無関係な要因、例えば、逸視側ビデオへの関心等によって引き起こされる可能性があるという問題に対処する。
【００４２】
前記スコアは夫々、小児の発話における眼の領域への注意力の標準化されたスコアを表し得る。
【００４３】
好ましくは、本発明による方法は、テストを開始する前に、テスト対象の小児の識別データ、例えば名前、生年月日、性別等を読み取って（又は入力して）記録するステップと、前記データを、前記小児に関して取得したスコアとリンクさせるステップとを更に含む。これにより、小児の識別に基づいて個々のスコアを容易に取り出すことができる。
【００４４】
好ましくは、本発明による方法は、前記テストを開始する前に、小児の現在の月齢を入力するステップを更に含み、コントローラ（１５）は、入力された小児の月齢をチェックし、小児の現在の月齢に応じて前記第１の情報と第２の情報を選択する。
【００４５】
本発明は、小児（２０）の神経発達障害のリスクの評価装置も提供する。
【００４６】
図３に、例示的装置（１）が模式的に示されている。装置（１）は、ディスプレイ画面（５）と、アイ・トラッキング・デバイス（１０）と、コントローラ（１５）とを備えている。コントローラ（１５）は、第１の期間中に：
ａ）ディスプレイ画面（５）上の夫々２つの別々の位置に、第１の情報と第２の情報を同時に表示し、
ｂ）ディスプレイ画面（５）から第１の情報と第２の情報を削除し、
ｃ）ディスプレイ画面（５）から第１の情報と第２の情報が削除されている間に、アイ・トラッキング・デバイス（１０）から視線位置データを読み取って記録し、それによって小児の少なくとも片方の眼の運動記録を取得し、
ｄ）ディスプレイ画面（５）上の第２の情報の以前の位置に、又はその付近に、第３の情報を表示し、又、オプションで、前記第２の情報を、ディスプレイ画面（５）上のその以前の位置に再表示し、
ｅ）ディスプレイ画面（５）から第３の情報を削除し、
ｆ）ステップａ）〜ｅ）を限定回数繰り返し、
ｇ）ステップｃ）で取得した小児の少なくとも片方の眼の複数の運動記録の関数としてスコアを計算する、ように構成されている。
【００４７】
そのような装置（１）は、先に説明したように、本発明による方法を実行するように適合されており、従って、従来の装置と比較して相応の利点を提示する。
【００４８】
好ましくは、装置（１）は、小児（２０）の自閉症スペクトラム障害（ＡＳＤ）のリスクを評価する為のものである。
【００４９】
好ましくは、第１の期間は、小児（２０）の月齢が７ヶ月から２０ヶ月、好ましくは９ヶ月から１８ヶ月の間に含まれる期間内である。
【００５０】
好ましくは、第１の期間は、小児（２０）の月齢が９ヶ月から１１ヶ月、又は１２ヶ月から１４ヶ月、又は１６ヶ月から１８ヶ月の間に含まれる期間内である。
【００５１】
好ましくは、装置（１）は更にスピーカ（３０）を備え、コントローラ（１５）は、第１及び／又第２及び／又は第３の情報を前記ディスプレイ画面（５）に表示しながら、スピーカ（３０）を介して音を再生するように構成されている。
【００５２】
テスト対象の小児（２０）に関するスコアを確定する為に、固視以外の他のパラメータが使用され得ることは明らかであろうが、それらは、例えばサッカードの数、瞳孔の拡張、又はディスプレイ画面（５）を見るのに費やされた時間の量等である。
【００５３】
本発明を、特定の実施形態の観点から説明してきたが、それらは本発明を例示的に示すものであり、限定するものと解釈されるべきではない。より一般的には、本発明が、本明細書で特に図示及び／又は記載されたものによって限定されないことが、当業者には理解されるであろう。
【００５４】
特許請求の範囲の参照符号は、その保護範囲を限定するものではない。
【００５５】
動詞「を備える（ｔｏ ｃｏｍｐｒｉｓｅ）」、「を含む（ｔｏ ｉｎｃｌｕｄｅ）」、「で構成される（ｔｏ ｂｅ ｃｏｍｐｏｓｅｄ ｏｆ）」、又は他の変形体、及びそれらの夫々の活用の使用は、記載されたもの以外の要素の存在を排除するものではない。
【００５６】
要素の前に冠詞「１つの（ａ）」、「１つの（ａｎ）」又は「その（ｔｈｅ）」を使用することは、そのような要素の複数の存在を排除するものではない。
【００５７】
本発明は又、次のように記載することができる：小児の神経発達障害のリスクの評価方法。先ず、ディスプレイ画面（５）上の２つの異なる位置で、小児に第１の情報と第２の情報を同時に示す。次に、ディスプレイ画面（５）から第１と第２の情報が暫くの間削除され、その間、小児の眼球運動を追跡して記録する。次に、ディスプレイ画面（５）の第２の情報が以前に表示されていた位置に、第３の情報が表示される。このシーケンスを何度か繰り返す。次に、第１と第２の情報がディスプレイ画面（５）から削除されていた間に記録された、小児の眼（複数可）の運動に応じて、小児のスコアが確定される。このスコアは、小児の神経発達障害のリスクを示している。
【符号の説明】
【００５８】
５  ディスプレイ画面
１０  アイ・トラッキング・デバイス
１５  コントローラ
２０  小児
３０  スピーカ
【図１】
2021529402.tif 000003
【図２】
2021529402.tif 000004
【図３】
2021529402.tif 000005
【国際調査報告】
2021529402.tif 000006
2021529402.tif 000007
2021529402.tif 000008